(57)【要約】【課題】鴨居などの被取付体の厚みに対する寸法の調整が容易で、寸法の調整が多数通りできる物掛け具を提案する。【解決手段】支持部と物掛け部から成り、支持部は、係止部とこの係止部の前縁から下方に向けて延設された前面板から成り、前面板には物掛け部を挿通支持する円形の支持孔が設けられ、物掛け部は断面円形でその基端には多角形状の当接部が設けられており、この当接部の各辺は物掛け部中心からの距離が夫々異なるようになされ、この当接部が被取付体に下方から当接され、前記係止部と連働して被取付体を挟持するようになされたもので、当接部を回転させ、被取付体の下面と当接される辺を適宜選定することにより、当接部と被取付体下面の距離を適宜調整することができるので、物掛け部を水平状体に容易に調整することができる。【選択図】        図１
2005007087.tif 000002
【特許請求の範囲】
【請求項１】
支持部と物掛け部から成り、支持部は、係止部とこの係止部の前縁から下方に向けて延設された前面板から成り、前面板には物掛け部を挿通支持する円形の支持孔が設けられ、物掛け部は断面円形でその基端には多角形状の当接部が設けられており、この当接部の各辺は物掛け部中心からの距離が夫々異なるようになされ、この当接部が被取付体に下方から当接され、前記係止部と連働して被取付体を挟持するようになされたことを特徴とする物掛け具。
【請求項２】
係止部の下面には、被取付体に穿刺されて係止部を被取付体に固着するための穿刺体が設けられたことを特徴とする請求項１記載の物掛け具。
【請求項３】
前面板には複数の支持孔が設けられていることを特徴とする請求項１又は請求項２のいずれか一項に記載の物掛け具。
【発明の詳細な説明】
【０００１】
【発明の属する技術分野】
本発明は、窓枠やドア枠の上枠や鴨居や長押等の被取付体に取り付けて、主に、衣類を掛けるハンガー等を吊下げて使用する物掛け具に関するものである。
【０００２】
【従来の技術】
【特許文献１】特開平１０−３３３５３号公報
従来、鴨居などに取り付けてハンガーなどを吊り下げるための物掛け具は種々の物があった。例えば、特開平１０−３３３５３号公報には支持体と腕体を有し、支持体は、上板部の前縁に前板部を略垂直下方に設けると共に，前板部に受孔を設けて成り、腕体は、先端部に引掛部を、後端部に受部を設けて成り、支持体の受孔に腕体を挿通して、支持体の上板部を被取付体の上面に載置すると共に、腕体の受部を被取付体の下面に当接させて取りつけるように成し、受部の上部及び下部にそれぞれ上下方向に突出する当接部を形成すると共に、各当接部の突出高さを異ならせたことを特徴とする物掛け具が提案されている。
【０００３】
【発明が解決しようとする課題】
しかしながら上記の如き特開平１０−３３３５３号公報に提案されている物掛け具においては、受孔に挿通する腕体の上下を逆にすることによって、支持体の上板部の下面と腕体の当接部の上面との距離を変えることができるので、簡単な構造で、支持体の強度を低下させることなく、厚さが異なる種々の被取付体に、細かく対応して取り付けられるように調整できるという効果があるものの、腕体を支持体から抜き取り上下を入れ変えねばならないので、支持体の上面と下面の距離の調整に手間がかかり、調整作業が煩瑣であるという問題があった。又、受け孔１個に対して２通りの調整しかできないという問題があった。
【０００４】
そこで本発明者は従来の欠点に鑑み鋭意研究の結果、鴨居などの被取付体の厚みに対する寸法の調整が容易で、寸法の調整が多数通りできる物掛け具を提案する物である。
【０００５】
【課題を解決するための手段】
本発明請求項１記載の物掛け具は、支持部と物掛け部から成り、支持部は、係止部とこの係止部の前縁から下方に向けて延設された前面板から成り、前面板には物掛け部を挿通支持する円形の支持孔が設けられ、物掛け部は断面円形でその基端には多角形状の当接部が設けられており、この当接部の各辺は物掛け部中心からの距離が夫々異なるようになされ、この当接部が被取付体に下方から当接され、前記係止部と連働して被取付体を挟持するようになされたもので、当接部を回転させ、被取付体の下面と当接される辺を適宜選定することにより、当接部と被取付体下面の距離を適宜調整することができるので、物掛け部を水平状体に容易に調整することができる。
【０００６】
又、本発明請求項２記載の物掛け具は、係止部の下面には、被取付体に穿刺されて係止部を被取付体に固着するための穿刺体が設けられたもので、物掛け具を取り付けるときに係止部を下へ押しつけるだけで、係止部に設けられた穿刺体が被取付体に穿刺、固着される。
【０００７】
又、本発明請求項３記載の物掛け具は、前面板には複数の支持孔が設けられているので、被取付体の厚みが大きく異なっても対応することができ、被取付体として、鴨居、窓枠、ドア枠、長押など室内の適宜箇所を被取付体として物掛け具を取り付けることができる。
【０００８】
【発明の実施の形態】
以下、図面を参照しながら本発明に付いて説明する。
図１は本発明物掛け具の実施形態の一例を示す斜視図である。
本発明物掛け具は、支持部１と物掛け部２から成り、支持部１は、係止部１１とこの係止部１１の前縁から下方に向けて延設された前面板１２から成り、前面板１２には物掛け部２を挿通支持する円形の支持孔１３が３ヶ所設けられている。係止部１１の下面には鴨居などの被取付体３に穿刺されて係止部１１を被取付体３に固着する釘状の穿刺体１４が設けられている。本発明に於ける支持部１はＡＢＳ樹脂やＰＰなどの合成樹脂を成型して製作されれば好適であるが、これに限るものではない。又、釘状の穿刺体１４は鋼製の釘などを係止部１１に適宜組み込んで設けられればよい。
【０００９】
物掛け部２は断面円形の管体から成る腕部２１とその基端に設けられた四角形状の当接部２２からなっている。腕部２１はステンレス鋼管やアルミ合金管、合成樹脂被覆鋼管などの金属管から成り、ゴム状弾性を有する滑り止めリング２３が３ヶ所に設けられている。当接部２２は四角形状で、４辺の中心からの距離が異なるようになされている。腕部２１を回転することにより、当接部２２の被取付体３との当接面が変わり、被取付体３の厚みの違いに対応するようになされている。当接部２２はＡＢＳ樹脂やＰＰなどの合成樹脂を成型して作製される。当接部２２の形状はこの例では四角形状の物を示したが、これに限るものではなく、３角や５角などの適宜形状の物が用いられればよい。当接部２２と腕部２１は接着などの手段により固着されているが、接着を省略し適宜係止手段によってもよいし、適宜抜け止めを施して回動可能としてもよい。
【００１０】
次に本発明物掛け具の使用方法について説明する。まず、被取付体３の係止部１１の上面に載置し、前面板１２の裏面を被取付体３の側面に当接する。物掛け部２基端の当接部２２と被取付体３の下面との距離を確認し、この距離に応じて支持部１の前面板１２に設けられた支持孔１３に物掛け具を挿通し、物掛け部２の当接部２２を回転させることによって当接部２２と被取付体３の下面の距離が同じになるようにする。この様に物掛け部２基端の当接部２２が物掛け部２が稍上向きの状態で、被取付体３の下面に当接するようにし、最後に係止部１１の上面を押さえ付けて係止部１１下面の穿刺体１４が突き刺さるようにすれば、係止部１１が被取付体３に固着される。
【００１１】
以上本発明物掛け具の実施形態について例を挙げて説明したが、本発明はこの例だけに限定されるものではない。
【００１２】
【発明の効果】
上述の如く、本発明請求項１記載の物掛け具は、支持部と物掛け部から成り、支持部は、係止部とこの係止部の前縁から下方に向けて延設された前面板から成り、前面板には物掛け部を挿通支持する円形の支持孔が設けられ、物掛け部は断面円形でその基端には多角形状の当接部が設けられており、この当接部の各辺は物掛け部中心からの距離が夫々異なるようになされ、この当接部が被取付体に下方から当接され、前記係止部と連働して被取付体を挟持するようになされたもので、当接部を回転させ、被取付体の下面と当接される辺を適宜選定することにより、当接部と被取付体下面の距離を適宜調整することができるので、物掛け部を水平状体に容易に調整することができる。
【００１３】
又、本発明請求項２記載の物掛け具は、係止部の下面には、被取付体に穿刺されて係止部を被取付体に固着するための穿刺体が設けられたもので、物掛け具を取り付けるときに係止部を下へ押しつけるだけで、係止部に設けられた穿刺体が被取付体に穿刺、固着される。
【００１４】
又、本発明請求項３記載の物掛け具は、前面板には複数の支持孔が設けられているので、被取付体の厚みが大きく異なっても対応することができ、被取付体として、鴨居、窓枠、ドア枠、長押など室内の適宜箇所を被取付体として物掛け具を取り付けることができる。
【図面の簡単な説明】
【図１】本発明物掛け具の実施形態の一例を示す斜視図である。
【図２】本発明物干し具の実施形態の一例を示す（イ）は正面図、（ロ）は側面図であり、（ハ）は背面図である。
【符号の説明】
１    支持部
１１  係止部
１２  前面板
１３  支持孔
１４  穿刺体
２    物掛け部
２１  腕部
２２  当接部
２３  滑り止めリング
３    被取付体
【図１】
2005007087.tif 000003
【図２】
2005007087.tif 000004